(57)【特許請求の範囲】
【請求項１】
ハンマー支点を有するシャーシと、
前記シャーシに回動自在に支持された複数の鍵と、
前記ハンマー支点に塗布された潤滑剤と、
前記ハンマー支点に回動自在に支持され、前記複数の鍵と連動して回動する複数のハンマーと、
前記シャーシに取り付けられ、前記複数の鍵の押鍵情報を検出する鍵スイッチと、
前記ハンマー支点と前記鍵スイッチの間に位置して前記シャーシに立設され、前記鍵スイッチへの前記潤滑剤の流入を阻止する潤滑剤流入防止壁と、
を備えていることを特徴とする電子楽器の鍵盤装置。
【請求項２】
前記シャーシは樹脂成形品で構成され、前記潤滑剤流入防止壁は、前記複数のハンマーの並び方向に連続的に延びるように前記シャーシと一体に成形されていることを特徴とする、請求項１に記載の電子楽器の鍵盤装置。
【発明の詳細な説明】
【０００１】
【発明の属する技術分野】
本発明は、電子ピアノなどに用いられる電子楽器の鍵盤装置に関し、特にシャーシのハンマー支点に回動自在に支持され、鍵と連動して回動するハンマーを備えた鍵盤装置に関する。
【０００２】
【従来の技術】
本出願人は、この種の鍵盤装置を、例えば特願平１０−１２５３５４号ですでに提案している。図７に示すように、この鍵盤装置６１は、電子ピアノ用のものであり、回動自在の複数の鍵６２（白鍵６２ａおよび黒鍵６２ｂ）と、鍵６２に連動して回動する複数のハンマー６３を備えている。
【０００３】
各ハンマー６３は、シャーシ６４の上面の中央部に設けられた軸穴状のハンマー支点６５に、ハンマー６３のピン状の突起６６が係合することによって、シャーシ６４に回動自在に支持されている。なお、上記出願の明細書中では特に言及していないが、ハンマー支点６５の内面には、通常の鍵盤装置と同様、ハンマー６３の回動を円滑に行わせるために潤滑剤（図示せず）が塗布されている。ハンマー６３は、ハンマー支点６５よりも後ろ側の部分がシャーシ６４の下側を長く延びている一方、ハンマー支点６５よりも前側の部分は、比較的短いほぼ水平な水平部と、その前端から上方に延びる鉛直部とで構成されており、水平部の下面にスイッチ押圧部６７が設けられるとともに、鉛直部の上端部は鍵６２が当接する鍵当接部６８になっている。
【０００４】
また、この鍵盤装置６１は、鍵６２の押鍵情報を検出するための鍵スイッチ６９を備えている。この鍵スイッチ６９は、ハンマー支点６５の下側に配置され、シャーシ６４の下面にねじ止めされたプリント基板７０と、その上面に各鍵６２に対応して設けられた複数のスイッチ本体７１を有している。スイッチ本体７１は、ゴムスイッチなどで構成されており、シャーシ６４のハンマー支点６５の前側に隣接して形成された孔６４ａを通ってシャーシ６４の上方に突出していて、その上面にハンマー６３のスイッチ押圧部６７が常時、当接している。一方、プリント基板７０には、各スイッチ本体７１の真下の位置に配置された多数の接点から成る接点部（いずれも図示せず）が設けられており、これらの接点は、電子ピアノの発音を制御する制御装置（図示せず）に接続されている。
【０００５】
この鍵盤装置では、押鍵時、鍵６２が下方に回動するのに伴い、ハンマー６３は、その鍵当接部６８が鍵６２で押圧されることによって、同図の反時計方向に回動する。そして、ハンマー６３が回動する際、そのスイッチ押圧部６７がスイッチ本体７１を押下して、プリント基板７１の対応する接点を閉じることにより、鍵６２の押鍵情報が検出される。
【０００６】
【発明が解決しようとする課題】
しかし、この鍵盤装置６１は、以下の点において改善の余地がある。すなわち、この鍵盤装置６１では、ハンマー６３の回動を円滑に行わせるために、軸穴状のハンマー支点６５の内面に必要量の潤滑剤が塗布されるとともに、ハンマー６３の突起６６がハンマー支点６５の内面に摺接しながら回動するため、使用が進むにつれて、潤滑剤の一部が突起６６により押し出され、ハンマー支点６５の外部に流出することは避けられない。一方、前述したように、ハンマー支点６５の前側に隣接した下方の位置には、鍵スイッチ６９の接点部が配置されている。このため、ハンマー支点６５から流出した潤滑剤が鍵スイッチ６９の接点部に流入してしまい、鍵スイッチ６９の動作不良を生じるおそれがある。
【０００７】
もちろん、このような潤滑剤の流入の問題は、鍵スイッチ６９の配置を変えること、例えば鍵スイッチ６９をハンマー支点６５からかなり離して配置することによって解消可能である。しかし、この鍵盤装置６１では、ハンマー６３を介してスイッチ本体７１を押下するように構成されているため、上記のように鍵スイッチ６９をハンマー支点６５から離して配置すると、ハンマー支点６５からスイッチ本体７１の押圧点までの距離、すなわち腕の長さが大きくなる。その結果、ハンマー６３によるスイッチ本体７１の押圧力が小さくなり、これを十分に押下できず、鍵６２の押鍵情報が正確に検出できなくなってしまう。
【０００８】
本発明は、このような状況を考慮してなされたものであり、鍵スイッチがハンマー支点に近接して配置される場合でも、単純な構成により、鍵スイッチへの潤滑剤の流入およびこれに起因する鍵スイッチの動作不良を確実に防止することができる電子楽器の鍵盤装置を提供することを目的とする。
【０００９】
【課題を解決するための手段】
この目的を達成するため、本発明の電子楽器の鍵盤装置は、ハンマー支点を有するシャーシと、シャーシに回動自在に支持された複数の鍵と、ハンマー支点に塗布された潤滑剤と、ハンマー支点に回動自在に支持され、複数の鍵と連動して回動する複数のハンマーと、シャーシに取り付けられ、複数の鍵の押鍵情報を検出する鍵スイッチと、ハンマー支点と鍵スイッチの間に位置してシャーシに立設され、鍵スイッチへの潤滑剤の流入を阻止する潤滑剤流入防止壁と、を備えていることを特徴とする。
【００１０】
この電子楽器の鍵盤装置では、ハンマー支点と鍵スイッチの間に潤滑剤流入防止壁が立設されているので、ハンマー支点に塗布した潤滑剤が外部に流出しても、これを潤滑剤流入防止壁でせき止めることができ、鍵スイッチへの流入を確実に阻止することができる。したがって、鍵スイッチがハンマー支点に近接して配置される場合でも、潤滑剤の流入に起因する鍵スイッチの動作不良を確実に防止することができる。
【００１１】
この場合、シャーシは樹脂成形品で構成され、潤滑剤流入防止壁は、複数のハンマーの並び方向に連続的に延びるようにシャーシと一体に成形されていることが好ましい。
【００１２】
この構成によれば、潤滑剤流入防止壁がシャーシと一体に樹脂成形品として成形されるので、別個の部品はまったく不要である。また、潤滑剤流入防止壁が、複数のハンマーの並び方向に連続的に、すなわち隙間なく形成されるので、潤滑剤の流入をより確実に防止できるとともに、潤滑剤流入防止壁の形状が単純化されることで、これをシャーシに付加することによるシャーシ用金型の製作上の負担増も最小限に抑制できる。
【００１３】
【発明の実施の形態】
以下、図面を参照しながら、本発明の実施形態を詳細に説明する。図１および図２は、本発明の一実施形態による電子ピアノの鍵盤装置を示している。この鍵盤装置１は、８８鍵用のものであり、両図に示すように、シャーシ２と、シャーシ２に回動自在に取り付けられた白鍵３ａおよび黒鍵３ｂから成る８８個の鍵３（両図には白鍵３ａおよび黒鍵３ｂの各１個のみ図示）と、鍵３ごとにシャーシ２に回動自在に取り付けられた複数のハンマー４（両図に１個のみ図示）などを備えている。
【００１４】
シャーシ２は、中央の６個の中間シャーシ２ａ（図３に１個のみ図示）と、図４に示す最低音部用シャーシ２ｂと、図５に示す最高音部用シャーシ２ｃの、計８個のシャーシにより分割構成され、左右方向に並んだ状態で棚板５上に支持されている。
【００１５】
中間シャーシ２ａは、図３に示すように、Ｆ鍵からＥ鍵までの１オクターブ分、計１２個の鍵３（７個の白鍵３ａと５個の黒鍵３ｂ）およびハンマー４を支持するものであり、同じ寸法および形状を有し、同一の金型で成形されたＡＢＳ樹脂などの射出成形品で構成されている。最低音部用および最高音部用シャーシ２ｂ、２ｃは、図４および図５に示すように、中間シャーシ２ａの一部として構成されている。より具体的には、最低音部用シャーシ２ｂは、中間シャーシ２ａを切断線Ａ−Ａ’に沿って切断した右側の部分で構成されている。一方、最高音部用シャーシ２ｃは、中間シャーシ２ａを切断線Ｂ−Ｂ’に沿って切断した左側の部分で構成されている。
【００１６】
以上の計８個のシャーシ２は、図１に示すように、左右方向に延びる４本の連結バー６にねじ７で固定され、連結バー６上に左右方向に並んだ状態で連結されている。各連結バー６は、シャーシ２の左右方向の全体に渡る長さの細長い１本のアングル状のものであり、例えば鋼板の曲げ加工によって形成されている。また、前後方向に延びる補強用のリブ８がオクターブごとに配置され（図１に１個のみ図示）、連結バー６間にねじ９で固定されている。このリブ８は、例えば１枚の鋼板を金型を用いて曲げプレス加工することによって、形成されている。以上のように連結バー６で連結され、リブ８で補強されたシャーシ２は、前後の連結バー６を介して、ねじ１０で棚板５に固定されている。
【００１７】
シャーシ２には、後端部に鍵３を支持する軸孔状の鍵支点１１が、中央部にハンマー４を支持する軸穴状のハンマー支点１２（図６参照）が、さらに、前部およびハンマー支点１２の前後には、ハンマー４が通過する第１〜第３ハンマー通過孔１３ａ〜１３ｃが、第１ハンマー通過孔１３ａの後ろ側には、鍵３のストッパ部１４が通過する鍵通過孔１５が、それぞれ鍵３ごとに形成されている。各ハンマー支点１２の内面には、ハンマー４を円滑に回動させるために、グリスなどから成る潤滑剤Ｌが塗布されている（図６参照）。さらに、シャーシ２には、第１ハンマー通過孔１３ａの前側で各白鍵３ａに相当する位置に白鍵用ガイド１６ａが、鍵通過孔１５の後ろ側で各黒鍵３ｂに相当する位置に黒鍵用ガイド１６ｂが、それぞれ立設されている。
【００１８】
また、シャーシ２には、ハンマー支点１２の後ろ側に、潤滑剤流入防止壁５３が一体成形により形成されている。この潤滑剤流入防止壁５３は、ハンマー支点１２に塗布した潤滑剤Ｌが、後述する鍵スイッチ２０に流入するのを防止するためのものである。潤滑剤流入防止壁５３は、図６に示すように、ハンマー支点１２を構成する壁部５４の下端から後方に若干延びる水平部５５の後端に立設され、第３ハンマー通過孔１３ｃに臨むとともに、図３に示すように、左右方向に連続的に隙間なく延びるように形成されている。
【００１９】
さらに、図１に示すように、シャーシ２には、鍵３およびハンマー４の回動を規制するために、鍵下限ストッパ１７、ハンマー過回動防止ストッパ１８、ハンマー下限ストッパ１９、およびハンマー上限ストッパ５２が設けられている。鍵下限ストッパ１７およびハンマー過回動防止ストッパ１８は、鍵通過孔１５と黒鍵用ガイド１６ｂの間の同じ位置に、シャーシ２を挟むようにしてシャーシ２の上面および下面にそれぞれ取り付けられている。また、ハンマー下限ストッパ１９は、前側の連結バー６の下端部に取り付けられ、ハンマー上限ストッパ５２は、白鍵用ガイド１６ａの後ろ側に位置して、シャーシ２の下面に取り付けられている。これらのストッパ１７〜１９、５２はいずれも、シャーシ２の左右方向の全体にわたる１本の帯状の緩衝材、例えば、表面にフェルトを貼り付けた発泡ウレタンなどで構成されている。
【００２０】
また、シャーシ２のハンマー支点１２の後ろ側には、鍵３の押鍵情報を検出するための鍵スイッチ２０が取り付けられている。この鍵スイッチ２０は、ハンマー支点１２よりも低い位置に配置され、シャーシ２の下面にねじ止めされたプリント基板２１と、その上面に各鍵３に対応して設けられた複数のスイッチ本体２２（１個のみ図示）とを備えている。スイッチ本体２２は、ゴムスイッチなどで構成されており、第３ハンマー通過孔１３ｃを通ってシャーシ２の上方に突出している。一方、プリント基板２１には、各スイッチ本体２２の真下の位置に配置された多数の接点から成る接点部（いずれも図示せず）が設けられており、これらの接点は、電子ピアノの発音を制御する制御装置（図示せず）に接続されている。
【００２１】
鍵３（白鍵３ａおよび黒鍵３ｂ）は、例えばＡＳ樹脂の射出成形品で構成されており、両側壁３ｃ（図１に一方のみ図示）と天壁３ｄから成り、底面が開放している。鍵３の両側壁３ｃの後端部には、内方に突出する突起２３が形成されていて、この突起２３がシャーシ２の後端部の鍵支点１１に係合することによって、鍵３がシャーシ２に回動自在に支持されている。また、鍵３の突起２３よりも前側の所定位置には、下面から突出するアクチュエータ部２９が形成されており、鍵３の前部には、両側壁３ｃから下方に延びるフック状のストッパ部１４が形成されている。
【００２２】
一方、ハンマー４は、前後方向に延びるハンマー本体２５と、ハンマー本体２５の前端部の左右両側に取り付けられた２枚の質量板２６（図１に片側のもののみ図示）とで構成されている。ハンマー本体２５は、ＡＢＳ樹脂の射出成形品などで構成され、その後端部には両側方に突出するピン状の突起２７が形成されていて、この突起２７がシャーシ２のハンマー支点１２に係合することによって、ハンマー４がシャーシ２に回動自在に支持されている。
【００２３】
ハンマー本体２５の突起２７よりも後ろ側の部分は、スイッチ押圧部２８になっており、このスイッチ押圧部２８の上面にはクッション５６が取り付けられている。このクッション５６は、例えば、発泡ウレタンなどから成る緩衝材の表面に、滑性および耐摩耗性を有する表面材（いずれも図示せず）を取り付けた２層構成のものである。ハンマー４のスイッチ押圧部２８は、シャーシ２の第３ハンマー通過孔１３ｃに臨み、鍵スイッチ２０のスイッチ本体２２に上方から当接するとともに、上面のクッション５６に鍵３のアクチュエータ部２９が上方から当接している。
【００２４】
また、ハンマー本体２５は、その中央部がシャーシ２の第２ハンマー通過孔１３ｂを上下に横切ってシャーシ２の下側を前方に延び、その前端にはストッパ部３０が前方に突出して形成されている。
【００２５】
一方、質量板２６は、ハンマー４にアコースティックピアノと同様のタッチ重さを付与するためのものであり、ハンマー本体２５よりも比重の大きな鋼板などで構成されている。図１に示すように、質量板２６は、白鍵用質量板２６ａと、これよりも高さの低い黒鍵用質量板２６ｂで構成されている。そして、質量板２６は、ストッパ部３０の後ろ側の位置で、ハンマー本体２５の左右の側面に、前後のリベット５７、５７で取り付けられている。
【００２６】
以上の構成により、鍵３が押鍵されると、鍵３は、そのストッパ部１４がシャーシ２の鍵通過孔１５を通過しながら下方に回動するとともに、白鍵用ガイド１６ａまたは黒鍵用ガイド１６ｂにより、左右方向にぶれないように案内される。また、このときの鍵３の下限位置は、その下面が鍵下限ストッパ１７に当接することによって規制される（図２の状態）。
【００２７】
この鍵３の押鍵に伴い、ハンマー４は、スイッチ押圧部２８がクッション５６を介して鍵３のアクチュエータ部２９で押圧されることにより、上方（図１の時計方向）に回動する。ハンマー４の回動は、ハンマー支点１２に塗布した潤滑剤Ｌによって、円滑に行われる。また、潤滑剤Ｌの一部は、ハンマー支点１２の内面を摺接するハンマー４の突起２７によってハンマー支点１２の外部に次第に押し出されるが、潤滑剤流入防止壁５３でせき止められて、水平部５５に溜まり、鍵スイッチ２０の接点部への流入を阻止される。なお、ハンマー４が回動する際、質量板２６は、シャーシ２の第１ハンマー通過孔１３ｃを通るとともに、白鍵用質量板２６ａの場合には、第１ハンマー通過孔１３ｃを越えて、白鍵３ａの両側壁３ｃ間に入り込むようになっている（図２参照）。
【００２８】
そして、ハンマー４が所定角度まで回動したときに、そのストッパ部３０がハンマー上限ストッパ５２に当接する（図２の状態）。鍵３の押鍵が弱打の場合には、ハンマー４の上限位置は、ハンマー上限ストッパ５２のみによって規制される。一方、鍵３が強打された場合には、ハンマー４は、ハンマー上限ストッパ５２を圧縮しながら上限位置を越えてさらに回動し、ハンマー過回動防止ストッパ１８に当接することによって、それ以上の回動を阻止される。
【００２９】
また、このハンマー４の回動に伴い、そのスイッチ押圧部２８が鍵スイッチ２０のスイッチ本体２２を押下し、プリント基板２１の対応する接点を閉じることによって、鍵３の押鍵情報が検出され、その検出結果に応じて、制御装置により電子ピアノの発音が制御される。
【００３０】
この状態から鍵３が離鍵されると、鍵３およびハンマー４はそれぞれの初期位置に復帰回動し、このときのハンマー４の下限位置は、ストッパ部３０がハンマー下限ストッパ１９に当接することによって規制され、鍵３の上限位置は、そのストッパ部１４がハンマー過回動防止ストッパ１８に当接することによって規制される（図１の状態）。すなわち、この例では、ハンマー過回動防止ストッパ１８は、鍵３の上限位置を規制する鍵上限ストッパとして兼用されている。
【００３１】
以上のように、本実施形態の鍵盤装置１によれば、ハンマー支点１２に塗布した潤滑剤Ｌが外部に流出しても、これを潤滑剤流入防止壁５３でせき止めることができ、鍵スイッチ２０の接点部への潤滑剤Ｌの流入を確実に阻止することができる。したがって、本実施形態のように鍵スイッチ２０がハンマー支点１２に近接して配置される場合でも、潤滑剤Ｌの流入に起因する鍵スイッチ２０の動作不良を確実に防止することができる。
【００３２】
また、潤滑剤流入防止壁５３がシャーシ２と一体に樹脂成形品として成形されるので、別個の部品はまったく不要である。さらに、潤滑剤流入防止壁５３が、シャーシ２の左右方向に連続的に隙間なく形成されるので、潤滑剤Ｌの流入をより確実に防止できるとともに、潤滑剤流入防止壁５３の形状が単純化されることで、これをシャーシ２に付加することによるシャーシ用金型の製作上の負担増も最小限に抑制できる。
【００３３】
なお、本発明は、説明した実施形態に限定されることなく、種々の態様で実施することができる。例えば、実施形態で示した各構成要素の材質などは、あくまで例示であり、本発明の趣旨の範囲内で適宜、変更することができる。また、実施形態は、本発明を電子ピアノに適用した例であるが、本発明は、これに限らず、シンセサイザなどの他のタイプの電子楽器に適用することも、もちろん可能である。
【００３４】
【発明の効果】
以上詳述したように、本発明の電子楽器の鍵盤装置は、鍵スイッチがハンマー支点に近接して配置される場合でも、単純な構成により、鍵スイッチへの潤滑剤の流入およびこれに起因する鍵スイッチの動作不良を確実に防止することができるなどの効果を有する。
【図面の簡単な説明】
【図１】本発明の一実施形態による電子ピアノの鍵盤装置の離鍵状態における側断面図である。
【図２】図１の鍵盤装置の押鍵状態における側断面図である。
【図３】中間シャーシの（ａ）平面図および（ｂ）側断面図である。
【図４】最低音部用シャーシの平面図である。
【図５】最高音部用シャーシの平面図である。
【図６】シャーシの潤滑剤流入防止壁周辺の構成を示す部分拡大側面図である。
【図７】従来の鍵盤装置の側断面図である。
【符号の説明】
１  鍵盤装置
２  シャーシ
３  鍵
４  ハンマー
１２  ハンマー支点
２０  鍵スイッチ
５３  潤滑剤流入防止壁
Ｌ  潤滑剤
【図１】
0003615061.tif 000002
【図２】
0003615061.tif 000003
【図３】
0003615061.tif 000004
【図４】
0003615061.tif 000005
【図５】
0003615061.tif 000006
【図６】
0003615061.tif 000007
【図７】
0003615061.tif 000008